【事件の表示】
　平成　６年特許願第　３３８４４号「グラフィック端末装置表示用データ生成システム」拒絶査定に対する審判事件［平成　７年　９月１９日出願公開、特開平　７−２４４６３８］について、次のとおり審決する。
【結　論】
　本件審判の請求は、成り立たない。
【理　由】
１．手続の経緯・本願発明
　本願は、平成６年３月３日の出願であって、その請求項１に係る発明（以下、本願発明という。）は、明細書及び図面の記載からみて、その特許請求の範囲の請求項１に記載された
「グラフィック端末装置を備え、このグラフィック端末装置にグラフィックデータを含むデータを表示することを制御するアプリケーションプログラムを含む情報処理システムにおいて、
　このアプリケーションプログラムが作成した論理データを受け、このデータを前記グラフィック端末装置に表示するための形式である物理データに変換して表示させる論理データ変換手段と、
　この論理データ変換手段に起動され、前記グラフィック端末装置の端末属性情報をこの論理データ変換手段に通知する端末属性通知手段と、　この端末属性通知手段が通知した前記グラフィック端末装置の端末属性の内、色に関する属性情報を前記論理データ変換手段から受けて起動され、この色に関する属性情報を基にして色変換テーブル記憶領域に色変換テーブルを生成する色設定手段と、
　前記論理データ変換手段から論理データを受けて起動され、この論理データの色に関する属性情報を、前記色変換テーブル記憶領域内の色変換テーブルに従って、前記グラフィック端末装置に表示するための色に関する属性情報に変換する色変換手段と
　を備えたことを特徴とするグラフィック端末装置表示用データ生成システム。」にあると認める。
　
２．引用例
　これに対して、原査定の拒絶の理由に引用された特開平１−１９１１９１号公報（平成１年８月１日出願公開。以下、引用例という。）には、ＥＧＡと称する表示制御ハードウェアを有するパーソナルコンピュータについて、次の事項が記載されている。
（１）一般にＥＧＡ（Enhanced Ggraphics Adaptor）と称する表示制御ハードウェアを有するパーソナルコンピュータは、第３図で示すようにビデオＲＡＭ（表示用メモリ３１）が４つのメモリプレーンから構成され・・・グラフックス表示の際・・・４つのプレンビットの組合せによって、１６種の表示が可能である。そして、色の変化を高速に可能とさせる、パレットレジスタ３２と称するレジスタを１６個有し、表示回路３３を通して、カラーＣＲＴ等の表示装置３４に対応する色が表示される。（１頁右下欄９行乃至２０行）
（２）しかしながら１６種の表示を一度に出来ない表示装置（以下、１６種の表示を一度にできないものを第１表示装置、出来るものを第２表示装置と称する）の場合、例えば４種しか一度に表示できない場合、それ以外の種類で表示させようとすると画面上見えなくなってしまうケースが生じる。この為に、このような表示装置に都合のよい組み合わせをパレットレジスタにあらかじめ設定し、その後、アプリケーションソフトウェア等からパレットレジスタの値を変化させ、異なった種類の色で表示させようとしても変化させない様な方法を採るのが一般的である。しかし、第１表示装置と第２表示装置を両方接続し、任意に切替可能なシステムでは、第１表示装置から第２表示装置に切替えた場合、１６色表示出来ず４色表示になってしまったり、この逆の場合には、画面上に見えなくなってしまうという不都合が生じてしまう。（２頁左上欄２行乃至１８行）
（３）本発明は、・・・ｎ種の階調もしくは色表示が可能な表示装置とｍ種（ｎ＜ｍ）の表示が可能な表示装置の切替え使用によって生じる不具合をＢＩＯＳにより吸収する構成としたものである。このために、従来よりこの種装置が持つコンポーネントに、更にそれぞれの表示装置に従うパレットレジスタの設定値データ及び現在動作中の表示装置を認識するためのフラグ情報が設定される制御メモリを付加し、且つ、ＢＩＯＳにて、この制御メモリに記憶された内容に従い有効な表示装置を認識しパレットレジスタに最適な値を設定して所望の階調もしくは色表示を得る方式としたものである。（２頁右上欄５行乃至１７行）
（４）第１図は本発明の実施例を示すブロック図である。１はＣＰＵ、２はアプリケーションプログラム等を格納する為のメインメモリ、・・・５は表示用データを格納するビデオメモリ（ＶＲＡＭ）、６は表示装置を制御する表示制御回路であり、・・・パレットレジスタ６１及び表示装置へ表示を可能とさせる表示回路６２が含まれる。７は、２種の表示装置用のパレットレジスタ値及び現在動作中の表示装置がいずれであるかを示すフラグ情報が格納される制御メモリである。・・・１１は、第１表示装置、１２は第２表示装置である。（２頁左下欄４行乃至右下欄１行）
（５）第２図は第１図に示す制御メモリ周辺の具体的構成を示す図である。図中、７１は表示装置１１用のパレットレジスタ値を格納する第１表示装置用パレット値格納メモリ、７２は表示装置１２用のパレットレジスタ値を格納する第２表示装置用パレット値格納メモリであり、７３は現在表示装置１１で表示している状態か表示装置１２で表示している状態かを識別するための表示装置識別フラグが記憶されるメモリである。（２頁右下欄２行乃至１０行）
（６）第２図（ａ）は、第１表示装置で表示する際の動作を示したものである。アプリケーションソフトウェアが、ＢＩＯＳを通して、青色表示していたとする。しかし第１表示装置は１６種表示が出来ない為、第１表示装置固有の状態で表示させる。この状態を”Ａ”の状態とする。この状態は制御メモリにあらかじめ格納されており、これがパレットレジスタ６１に設定されることにより表示装置１１には”Ａ”の状態が表示される。又、第２表示装置用として、制御メモリ７２には表示装置１２に表示されるパレットレジスタ６１の状態を制御メモリ７２に保存しておく。（２頁右下欄１５行乃至３頁左上欄６行）
　上記記載事項から、引用例に記載された表示装置はグラフィック表示可能なものであり、アプリケーションソフトウェアは、４つのプレンビットの組み合わせからなるデータを作成することによりこの表示装置にグラフィックデータを含むデータを表示することを制御すると認められ、また、技術常識からみて、パレットレジスタは４つのプレンビットの組み合わせからなるデータにより指定され、そこに格納された値が表示回路に与えられて表示装置にグラフィックデータを含むデータを表示するものである。さらに、明示はされていないものの、上記摘記事項に記載された構成、機能から、アプリケーションソフトウェアが作成した４つのプレンビットの組み合わせからなるデータにより指定されたパレットレジスタに格納された値（パレットレジスタ値）を表示回路に与える手段と、フラグ情報に応じて、第１表示装置用パレット値格納メモリあるいは第２表示装置用パレット値格納メモリに格納された値をパレットレジスタに設定する手段が実質的に存在すると認められ、さらに、システム全体として表示装置表示用データを生成していることも明らかであることから、引用例には
「グラフィック表示可能な表示装置を備え、この表示装置にグラフィックデータを含むデータを表示することを制御するアプリケーションソフトウェアを含むパーソナルコンピュータにおいて、
　現在動作中の表示装置がいずれであるかを示すフラグ情報が格納される制御メモリを構成するメモリ７３と
　表示装置１１用のパレットレジスタ値を格納する第１表示装置用パレット値格納メモリと、
　表示装置１２用のパレットレジスタ値を格納する第２表示装置用パレット値格納メモリと、
　フラグ情報に応じて、第１表示装置用パレット値格納メモリあるいは第２表示装置用パレット値格納メモリに格納された値をパレットレジスタに設定する手段
　上記アプリケーションソフトウェアが作成した４つのプレンビットの組み合わせからなるデータにより指定されたパレットレジスタに格納された値（パレットレジスタ値）を表示回路に与える手段と、
　を備えたことを特徴とするグラフィック表示可能な表示装置表示用データ生成システム」（以下、引用例に記載された発明という。）が記載されていると認められる。
　
３．対比
　本願発明と引用例に記載された発明を対比すると、引用例に記載された発明の「表示装置」はグラフィック表示が可能なものであるから本願発明の「グラフィック端末装置」に相当し、引用例に記載された発明の「アプリケーションソフトウェア」及び「パーソナルコンピュータ」は、それぞれ本願発明の「アプリケーションプログラム」及び「情報処理システム」に相当する。
　また、引用例に記載された発明の「４つのプレンビットの組み合わせからなるデータ」と「パレットレジスタ値」は、本願発明の「論理データ」と「物理データ」に相当する。
　さらに、本願発明の「アプリケーションプログラムが作成した論理データを受け、このデータを前記グラフィック端末装置に表示するための形式である物理データに変換して表示させる論理データ変換手段と、この論理データ変換手段に起動され、前記グラフィック端末装置の端末属性情報をこの論理データ変換手段に通知する端末属性通知手段と、この端末属性通知手段が通知した前記グラフィック端末装置の端末属性の内、色に関する属性情報を前記論理データ変換手段から受けて起動され、この色に関する属性情報を基にして色変換テーブル記憶領域に色変換テーブルを生成する色設定手段と、前記論理データ変換手段から論理データを受けて起動され、この論理データの色に関する属性情報を、前記色変換テーブル記憶領域内の色変換テーブルに従って、前記グラフィック端末装置に表示するための色に関する属性情報に変換する色変換手段」と引用例に記載された発明の「現在動作中の表示装置がいずれであるかを示すフラグ情報が格納される制御メモリを構成するメモリ７３と、表示装置１１用のパレットレジスタ値を格納する第１表示装置用パレット値格納メモリと、表示装置１２用のパレットレジスタ値を格納する第２表示装置用パレット値格納メモリと、フラグ情報に応じて、第１表示装置用パレット値格納メモリあるいは第２表示装置用パレット値格納メモリに格納された値をパレットレジスタに設定する手段と、上記アプリケーションソフトウェアが作成した４つのプレンビットの組み合わせからなるデータにより指定されたパレットレジスタに格納された値（パレットレジスタ値）を表示回路に与える手段」は、「アプリケーションプログラムが作成した論理データを受け、このデータを前記グラフィック端末装置に表示するための形式である物理データであって、当該グラフィック端末装置の色に関する属性情報に適合したものに変換して表示させる論理データ変換手段」である点で一致する。
　したがって、両者は、
「グラフィック端末装置を備え、このグラフィック端末装置にグラフィックデータを含むデータを表示することを制御するアプリケーションプログラムを含む情報処理システムにおいて、
　アプリケーションプログラムが作成した論理データを受け、このデータを前記グラフィック端末装置に表示するための形式である物理データであって、当該グラフィック端末装置の色に関する属性情報に適合したものに変換して表示させる論理データ変換手段と
　を備えたことを特徴とするグラフィック端末装置表示用データ生成システム。」
であることで一致し、本願発明の「アプリケーションプログラムが作成した論理データを受け、このデータを前記グラフィック端末装置に表示するための形式である物理データであって、当該グラフィック端末装置の色に関する属性情報に適合したものに変換して表示させる論理データ変換手段」は「アプリケーションプログラムが作成した論理データを受け、このデータを前記グラフィック端末装置に表示するための形式である物理データに変換して表示させる論理データ変換手段と、この論理データ変換手段に起動され、前記グラフィック端末装置の端末属性情報をこの論理データ変換手段に通知する端末属性通知手段と、この端末属性通知手段が通知した前記グラフィック端末装置の端末属性の内、色に関する属性情報を前記論理データ変換手段から受けて起動され、この色に関する属性情報を基にして色変換テーブル記憶領域に色変換テーブルを生成する色設定手段と、前記論理データ変換手段から論理データを受けて起動され、この論理データの色に関する属性情報を、前記色変換テーブル記憶領域内の色変換テーブルに従って、前記グラフィック端末装置に表示するための色に関する属性情報に変換する色変換手段」であるのに対して、引用例に記載された発明のものはそのような構成を有しない点で相違する。
　
４．当審の判断
　上記相違点について検討すると、本願発明の「アプリケーションプログラムが作成した論理データを受け、このデータを前記グラフィック端末装置に表示するための形式である物理データであって、当該グラフィック端末装置の色に関する属性情報に適合したものに変換して表示させる論理データ変換手段」は、論理データ変換手段をメインの処理を行う手段とし、サブの処理を行う手段として、端末属性通知手段、色設定手段及び色変換手段を設けたものであるが、情報処理の分野において、処理手段をメイン処理手段とメイン処理手段から起動される複数のサブ処理手段とから構成することは当業者の慣用手段であり、サブ処理として端末属性通知手段、色設定手段及び色変換手段を設けることも、「アプリケーションプログラムが作成した論理データを受け、このデータを前記グラフィック端末装置に表示するための形式である物理データであって、当該グラフィック端末装置の色に関する属性情報に適合したものに変換して表示させる」という機能を勘案すると、当業者が容易に推量可能であったと認められる。
　
５．むすび
　したがって、本願発明は、引用例に記載された発明に基いて、当業者が容易に発明をすることができたものと認められるから、特許法第２９条第２項の規定により特許を受けることができない。
　よって、結論のとおり審決する。